(57)【特許請求の範囲】
【請求項１】
貯留部に処理液を供給する処理液供給装置であって、
内部に貯留した前記処理液を流出させる口部及び前記口部に係合して前記処理液の流出を阻止する栓を備えた容器を装填する装填部と、
前記装填部に装填された前記容器の前記栓を開いて前記容器内の前記処理液を前記貯留部に流出させる栓開閉手段と、
を備え、
前記栓開閉手段は、容器内から退避することで前記栓を閉じた後に洗浄液供給手段より供給された洗浄液を容器外側から前記口部付近の外側部分に放出する噴出口を有する、ことを特徴とする処理液供給装置。
【請求項２】
前記栓開閉手段は、前記栓を閉じて前記容器を密閉可能であることを特徴とする請求項１に記載の処理液供給装置。
【請求項３】
前記噴出口から乾燥風を放出させる乾燥風供給手段を設けたことを特徴とする請求項１または請求項２に記載の処理液供給装置。
【請求項４】
前記装填部に設けられ前記容器と係合する係合部と、
前記容器に設けられ、前記容器内の処理液と対応する処理液が貯留される前記貯留部に連結された前記装填部の前記係合部が係合する被係合部と、
を備え、
前記装填部は、前記係合部と前記被係合部とが係合した場合にのみ前記容器を装填できることを特徴とする請求項１乃至請求項３の何れか１項に記載の処理液供給装置。
【請求項５】
前記係合部及び前記被係合部は、何れか一方が凸部であり、何れか他方が凹部であることを特徴とする請求項４に記載の処理液供給装置。
【請求項６】
前記係合部及び前記被係合部は、処理液の種類毎に少なくとも一部の寸法が異なることを特徴とする請求項４に記載の処理液供給装置。
【発明の詳細な説明】
【０００１】
【産業上の利用分野】
本発明は、始業時等に、例えば補充タンク等への処理液の補給をするようにした処理液供給装置に関し、例えば、写真プリンタとプロセッサとを組み合わせたプリンタプロセッサ等に採用できるものである。
【０００２】
【従来の技術】
ラボで使用される自動現像機（例えば、フィルムプロセッサ、プリンタプロセッサ等）では、フィルムやカラーペーパーの処理が行われている。
【０００３】
フィルムやカラーペーパーは、発色現像、漂白定着、水洗及び安定などの処理液や水の入った複数の処理槽内を搬送されることで処理される。
【０００４】
各槽の処理液は、フィルムやカラーペーパーの処理によって液の成分組成や量が変化する。そのため、各処理槽へは処理量に応じて補充槽から新しい液が補充されるシステムになっている。一般的に、補充槽への液補充は人手によって行われている。
【０００５】
従来の一般的な液補充方法は、先ず、処理液の入れられた容器（ボトル）の蓋を手で取り外し、その後、容器を手で持ちながら斜めに傾け、容器の口から流出する処理液を補充タンクの処理液投入口の中へと投入していた。
【０００６】
【発明が解決しようとする課題】
しかし、従来の液補充方法では次のような問題がある。
（１）  容器の蓋を手で外すという手間がかかり、その際に、処理液が手等に付着して汚れることがある。
（２）  補充が終わった後に、外した蓋を容器に再び付け直す手間がかかる（使用後の容器は蓋をして密閉しないと、中に残った処理液が外にこぼれたりして好ましくない）
（３）  処理液が容器の口の周囲に付着した場合には、付着した処理液を洗い流す必要がある（洗わないと、処理液の臭いがする）。
（４）  液投入を人手によって行っているため、漂白定着液を現像液と間違えて投入する等のミスが発生する。このような液の誤投入を行うと、補充槽の液ばかりでなく処理槽の液まで廃棄して作りかえる必要があり、時間的にも数時間を要することがあり、処理の大幅な効率ダウンとなる。
【０００７】
本発明は上記事実を考慮し、処理液の供給を簡単に行うことができ、また、処理液の誤投入を防止し、さらには処理液供給後の後作業を簡単にすることのできる処理液供給装置を提供することが目的である。
【０００８】
【課題を解決するための手段】
請求項１に記載の発明は、貯留部に処理液を供給する処理液供給装置であって、内部に貯留した前記処理液を流出させる口部及び前記口部に係合して前記処理液の流出を阻止する栓を備えた容器を装填する装填部と、前記装填部に装填された前記容器の前記栓を開いて前記容器内の前記処理液を前記貯留部に流出させる栓開閉手段と、を備え、前記栓開閉手段は、容器内から退避することで前記栓を閉じた後に洗浄液供給手段より供給された洗浄液を容器外側から前記口部付近の外側部分に放出する噴出口を有する、ことを特徴としている。
【０００９】
請求項２の発明は、請求項１に記載の処理液供給装置において、前記栓開閉手段は、前記栓を閉じて前記容器を密閉可能であることを特徴としている。
【００１０】
請求項３に記載の発明は、請求項１または請求項２に記載の処理液供給装置において、前記噴出口から乾燥風を放出させる乾燥風供給手段を設けたことを特徴としている。
【００１１】
請求項４に記載の発明は、請求項１乃至請求項３の何れか１項に記載の処理液供給装置において、前記装填部に設けられ前記容器と係合する係合部と、前記容器に設けられ、前記容器内の処理液と対応する処理液が貯留される前記貯留部に連結された前記装填部の前記係合部が係合する被係合部と、を備え、前記装填部は、前記係合部と前記被係合部とが係合した場合にのみ前記容器を装填できることを特徴としている。
【００１２】
請求項５に記載の発明は、請求項４に記載の処理液供給装置において、前記係合部及び前記被係合部は、何れか一方が凸部であり、何れか他方が凹部であることを特徴としている。
【００１３】
また、請求項６に記載の発明は、請求項４に記載の処理液供給装置において、前記係合部及び前記被係合部は、処理液の種類毎に少なくとも一部の寸法が異なることを特徴としている。
【００１４】
【作用】
請求項１に係る処理液供給装置の作用を以下に説明する。
【００１５】
処理液を供給するには、先ず、処理液の貯留された容器を装填部に装填する。容器を装填部に装填することにより、容器を持ち続ける必要が無い。次に、栓開閉手段によって容器の口部の栓を開く。これにより容器内の処理液が貯留部に流出する。栓開閉手段が容器の栓を開けるので、処理液で手等を汚すことが無い。なお、装填と同時に開栓しても良い。なお、貯留部とは、具体的には、例えば、感光材料の自動現像機に設けられる発色現像、漂白定着、水洗及び安定などの処理液や水の入った処理槽や、これらの処理槽に補充する液を貯留する補充槽（補充タンク）等を言うが、処理液を貯留するものであればこれらに限定されるものではない。また、処理液とは、液体であればどのようなものでも良く、薬液、水、油等でも良く、これらに微粒子（粉等）を分散させたようなものでも良い。
【００１６】
処理液流出後は、栓開閉手段が容器内から退避することで栓が閉じる。
【００１７】
また、栓開閉手段には、洗浄液供給手段より供給された洗浄液（例えば、水、洗剤、処理液等）を、容器外側から口部付近の外側部分に放出する噴出口が設けられているので、処理液を流出し終えた閉栓後の容器の口部や栓及びこれらの周辺を洗浄液で洗浄すれば、口部や栓の周辺に付着した処理液を洗い流すことができる。
【００１８】
請求項２に係る処理液供給装置の作用を以下に説明する。
【００１９】
栓開閉手段は、開けられた栓を再び閉じて容器を密閉することができる。
【００２０】
請求項３に係る処理液供給装置の作用を以下に説明する。
【００２１】
噴出口から乾燥風を放出させる乾燥風供給手段を設けたので、容器の口部や栓に付着した洗浄液を強制的に素早く乾燥させることができる。乾燥風としては、冷風でも良く、温風でも良い。
【００２２】
請求項４に係る処理液供給装置の作用を以下に説明する。
【００２３】
装填部に容器を装填する際、装填しようとする容器の内の処理液と、装填されようとする装填部に連結した貯留部の処理液とが対応する場合には、装填部の係合部と容器の被係合部とが係合し、容器を装填して処理液を貯留部に流出させることができる。一方、装填しようとする容器の内の処理液と、装填されようとする装填部に連結した貯留部の処理液とが対応しない場合には、装填部の係合部と容器の被係合部とが係合しないので、容器を装填部に装填することが出来ず、処理液の誤投入が防止できる。
【００２４】
請求項５に係る処理液供給装置の作用を以下に説明する。
【００２５】
係合部及び被係合部は、何れか一方が凸部であり、何れか他方が凹部であり、貯留部の処理液と容器の処理液とが対応する場合に凹部と凸部とが係合し、対応しない場合には凹部と凸部とが係合しない。凹部及び凸部は、各々処理液毎に、形成する位置、大きさ、形状、数等を変えれば良い。
【００２６】
請求項６に係る処理液供給装置の作用を以下に説明する。
【００２７】
係合部及び被係合部は、処理液の種類毎に一部の寸法が異なるようにしたので、貯留部の処理液と容器の処理液とが対応しない場合には、容器は装填部に正しく装填されない。このため、装填しようとした容器が間違いであることが分かり、処理液の誤投入が防止できる。一方、貯留部の処理液と容器の処理液とが対応する場合には、容器を装填部に正しく装填して、対応した処理液を貯留部に投入することができる。
【００２８】
【実施例】
本発明に係る補充装置の一実施例が採用されたプリンタプロセッサを図１乃至図１０に示し、これらの図に基づき本実施例を説明する。
【００２９】
図１には本発明の一実施例に係る写真プリンタであるプリンタプロセッサ１０の概略が示されており、図２にはプリンタプロセッサ１０の斜視図が示されている。このプリンタプロセッサ１０のプリンタ部を構成する写真焼付部１２は、印画紙Ｐが収納されたペーパマガジン１４を装填できるような構造となっている。
【００３０】
このペーパマガジン１４の図１上、左上側には、印画紙Ｐの先端部付近が巻き掛けられる駆動ローラ１６が回転自在に支持されており、写真焼付部１２内の図示しないモータの駆動力をこの駆動ローラ１６が受けて回転する。また、駆動ローラ１６に対向した位置には、印画紙Ｐを介して一対のニップローラ１８が配置されている。この為、駆動ローラ１６がこれらニップローラ１８との間で印画紙Ｐを挟持して、印画紙Ｐを写真焼付部１２内へ送り出すことになる。
【００３１】
他方、写真焼付部１２内には、上下一対の刃からなると共にモータ２０によりこの刃が移動されるカッタ２２が設置されており、ペーパマガジン１４から出て来た印画紙Ｐをこのカッタ２２が即座に切断することになる。
【００３２】
図１上、カッタ２２に対して右側である印画紙Ｐの搬送方向下流側には、上面が水平方向（図１上、左右方向）に沿うように形成された支持台４６が配置されている。この支持台４６とカッタ２２との間には、無端ベルト４４が巻き掛けられる巻掛ローラ５２が水平方向（図１上、紙面に対して直交する方向）に配置されている。また、この巻掛ローラ５２の上側には、巻掛ローラ５２との間で無端ベルト４４を挟持するニップローラ５４が配置されている。
【００３３】
この支持台４６に対して印画紙Ｐの搬送方向下流側には、無端ベルト４４が巻き掛けられる案内ローラ５６が位置している。この案内ローラ５６に隣接した位置には、下面側が巻掛ローラ５２上面側とほぼ同一の高さとなるような押さえローラ５８が配置されており、この押さえローラ５８が無端ベルト４４の外周を押圧している。
【００３４】
すなわち、図１に示すように、この部分の無端ベルト４４をＳ字状としている。さらに、無端ベルト４４は、案内ローラ５６の下側でテンションローラ６２へ巻き掛けられて、逆三角形の移動軌跡が形成されている。そして、案内ローラ５６は、図示しないモータの駆動力によって駆動回転され、無端ベルト４４を図１上、時計回転方向に回転させる。
【００３５】
一方、無端ベルト４４にはその全域に亘って多数の小孔（図示せず）が形成されており、この無端ベルト４４の一部が載置される支持台４６の上面には、無端ベルト４４の小孔に対応して多数の孔部（図示せず）が形成されている。さらに、この支持台４６の内部は空洞状に形成されており、無端ベルト４４の幅方向両端に対応して形成された一対の連通ダクト６６（図上、一方のみ示す）がこの支持台４６に接続されている。これらの連通ダクト６６は、支持台４６の下側を通過する無端ベルト４４の部分を迂回して無端ベルト４４の下方へと至り、吸引ファン６８が設けられたファンボックス７０へと接続されている。
【００３６】
他方、図１に示される如く、支持台４６上を移動する無端ベルト４４の上部には、イーゼル装置６４が設けられており、縁有画像を印画紙Ｐ上に焼付露光する場合に、このイーゼル装置６４内の図示しない可動片で印画紙Ｐの周囲を覆うようになっている。
【００３７】
また、プリンタプロセッサ１０の外枠を構成するケーシング１０Ａ外であってイーゼル装置６４の直上の位置には、光を拡散する拡散ボックス２８が配置されており、その右隣に、それぞれ光路への挿入フィルタ量を変え得るよう移動可能なＣ、Ｍ、Ｙの３組のフィルタから構成されるＣＣフィルタ２４が配置されている。従って、このＣＣフィルタ２４に隣合って位置する光源２６から照射された光線がＣＣフィルタ２４を通過した後、拡散ボックス２８により拡散されつつ屈曲されて、直下に送られることになる。そして、このケーシング１０Ａの上面に載置されているネガキャリア３０上のネガフィルムＮをこの光線が透過する。
【００３８】
さらに、写真焼付部１２内に設置されたガイドレール３２に、支持板３４が水平方向（図１上、紙面に対して直交する方向）に移動可能に支持されており、前記光線の光軸線Ｓ上にそれぞれ配置されるようにプリズム３６及びズームレンズ３８がこの支持板３４に取り付けられている。
【００３９】
従って、ネガフィルムＮを透過して露光光線となった光線は、プリズム３６を通過した後、さらに拡大倍率を変更可能なズームレンズ３８を通過してイーゼル装置６４の下に位置する印画紙Ｐ上に、ネガフィルムＮの画像を結像させる。
【００４０】
また、写真焼付部１２内には、ネガフィルムＮの濃度を測定する例えば色フィルタとＣＣＤ等の光センサにより構成される濃度測定器４０が配置されており、プリズム３６により水平方向に屈曲された光線がこの濃度測定器４０に送られるようになっている。この濃度測定器４０は、図示しないコントローラに接続されており、濃度測定器４０によって測定されたデータ及び、作業者によりキー入力されたデータに基づいて、焼付露光時の露光補正値が設定される。
【００４１】
さらに、ズームレンズ３８とイーゼル装置６４の間の光路には、ＣＣフィルタ２４で色と強度が調光されネガフィルムＮを透過した光を、所定時間の間焼付露光するブラックシャッタ４１が設けられている。
【００４２】
以上のような構造に写真焼付部１２がなっている為、ペーパマガジン１４から送り出された印画紙Ｐは、カッタ２２で所望長さに切断された後に、無端ベルト４４に乗せられて露光光線の光軸線Ｓ上の位置である画像焼付位置へと搬送される。そして、光源２６側からの露光光線がプリズム３６及びズームレンズ３８等を介して印画紙Ｐに到達し、ブラックシャッタ４１が所定時間開くことにより、ネガフィルムＮに記録された画像が印画紙Ｐ上に焼付露光され、この画像が焼き付けられた部分が画像部分となる。
【００４３】
この際、支持台４６内の空気は、連通ダクト６６を介して無端ベルト４４のループ内から幅方向両端へ抜け出し、吸引ファン６８で吸引されて外部へ吹き出されるので、支持台４６内が負圧となる。この負圧は支持台４６の孔部、無端ベルト４４の小孔を介して無端ベルト４４上の印画紙Ｐへと伝達され、印画紙Ｐが矢印Ａで示すように、無端ベルト４４へ吸引される。この為、印画紙Ｐが単に無端ベルト４４に乗せられるだけでなく、無端ベルト４４側に吸引されるので、印画紙Ｐが、確実に無端ベルト４４により搬送されると共に、画像焼付位置上で水平状態に配置されることになる。
【００４４】
さらに、画像の焼付露光が終了した印画紙Ｐは、案内ローラ５６と押さえローラ５８との間に挟持されて、その搬送方向が水平方向から垂直方向へと変更されて垂直方向に送り出される。この後、印画紙Ｐの搬送経路を表す経路Ｋで示されように、印画紙Ｐは、複数対のローラによって構成される搬送路６０を介して、現像、漂白定着、水洗及び乾燥の各処理を行うプロセッサ部７２へ搬送される。
【００４５】
以上でネガフィルムＮの画像１コマ分の焼付露光処理が終了する。これを繰り返すことにより、焼付露光処理された印画紙Ｐが１枚づつ順次プロセッサ部７２に搬送される。
【００４６】
このプロセッサ部７２の内の現像槽７４には現像液が溜められていて、印画紙Ｐをこの現像液に浸して現像処理を行う。現像処理された印画紙Ｐは現像槽７４と隣接する漂白定着槽７６へ搬送される。漂白定着槽７６には漂白定着液が溜められていて、印画紙Ｐをこの漂白定着液に浸して漂白処理及び定着処理を行う。定着処理された印画紙Ｐは、漂白定着槽７６に隣接すると共にそれぞれ水洗水が溜められた複数の水洗槽からなる水洗部７８へ搬送され、印画紙Ｐを水洗槽内の水洗水に浸して水洗処理を行う。
【００４７】
水洗処理された印画紙Ｐは水洗部７８の上部に位置する乾燥部８０へ搬送される。乾燥部８０は、印画紙Ｐの搬送経路の下側に配置されたチャンバ８２側より矢印Ｂ方向に沿って送風される熱風に印画紙Ｐをさらして、印画紙Ｐを乾燥させる。
【００４８】
乾燥部８０に対して印画紙Ｐの搬送方向下流側には複数対のローラによって構成される搬送路８４が配設されており、乾燥処理が終了して乾燥部８０から排出された印画紙Ｐは、これら複数対のローラにそれぞれ挟持されてプリンタプロセッサ１０の外部へ排出され、積み重ねられる。
【００４９】
尚、上記の現像槽７４、漂白定着槽７６及び水洗槽は、プロセッサ部７２内に設置された複数の貯留部としての補充タンク１１２よりそれぞれ現像補充液、漂白定着補充液及び水洗補充水が送られて、それぞれの槽内の液へ補充されるようになっている。
【００５０】
次に、図３に示すように、各処理槽の内の現像槽７４を例として液の補充の為の構造を説明する。
【００５１】
現像槽７４は、補充タンク１１２の下部寄りに形成される排出口１１２Ａとパイプ１１４を介して接続されている。そして、現像槽７４内における印画紙Ｐの現像処理により使用されて劣化してくる現像液を予め規定された量だけ補充して、現像液の活性化が図れるように、この補充タンク１１２内に補充処理剤である現像補充液が一旦貯留されている。さらに、排出口１１２Ａとパイプ１１４の一端側との間に、補充タンク１１２側から現像槽７４側に現像補充液を送る為の補充手段である補充ポンプ１１６が配置されており、この補充ポンプ１１６は、ＡＣモータ（図示せず）によりその回転軸を回転されるようになっている。
【００５２】
そして、この補充タンク１１２の上下方向中程の位置には、予め定められた第１の規定量を超える量の現像補充液が補充タンク１１２内に残っているか否かを検出し得るフロートスイッチ１１８が配置されており、このセンサとなるフロートスイッチ１１８が補充タンク１１２内の現像補充液の液面を検出し得ることになる。
【００５３】
一方、これら補充ポンプ１１６及びフロートスイッチ１１８は制御装置１２０にそれぞれ接続されている。この為、制御装置１２０は、ＡＣモータの回転動作時間から検出することのできる補充ポンプ１１６の回転軸の回転量を基に、現像槽７４側に送られた現像補充液の量を把握でき、さらに、フロートスイッチ１１８からの液面検出信号により現像補充液の残量を把握することができる。
【００５４】
また、制御装置１２０は、表示装置となるモニタ１２２（図２にも示す）に接続されていて、補充タンク１１２への現像補充液の供給のメッセージをモニタ１２２に表示し得るようになっている。
【００５５】
ここで、補充タンク１１２内の現像補充液が現像槽７４側に補充されて不足した際には、例えば２．５リットル程度の現像補充液が入っている後述する現像補充液供給用の容器としてのボトル２００をケーシング１０Ａの上部正面側に設けた補充部２０２にセットして現像補充液を注ぎ込むことにする。
【００５６】
図４及び図５に示すように、ボトル２００は、耐薬品性に優れた合成樹脂製であり、首部分２０４が細径に形成されている。
【００５７】
ボトル２００には、首部分２０４の開口にキャップ２０６が取り付けられている。キャップ２０６には、軸方向に延びる被係合部としての突起２０８が外周に２個形成されており、中央に口部としての孔２１０が形成されている。
【００５８】
孔２１０は栓２１２によって内側から塞がれている。栓２１２は、耐薬品性に優れた弾性体（合成樹脂、ゴム等）で略円柱に形成されており、小径部２１２Ａが孔２１０に圧入されている。
【００５９】
図２に示すように、補充部２０２はケーシング１０Ａの上部正面側の角部に設けられ、開閉蓋２１４を備えている。
【００６０】
図４に示すように、開閉蓋２１４は直角に曲げられた金属板等からなり、ケーシング１０Ａの正面側上部に取り付けた蝶番２１６を介してケーシング１０Ａに取り付けられている。
【００６１】
図４に示すように開閉蓋２１４を開けると、蝶番２１６の取り付けられる側板２１４Ａが床面（図示せず）に対してほぼ垂直となり、この側板２１４Ａと直角に連結する側板２１４Ｂが床面（図示せず）に対してほぼ水平（床面に対してほぼ平行）となる。
【００６２】
側板２１４Ｂの内側には、ボトル２００を載せる台２１８が長手方向に沿って所定間隔で３個設けられており（図４では１個のみ図示）、それぞれ、発色現像液の貯留されたボトル２００（詳細は後述する）、漂白定着液の貯留されたボトル２００及び安定液の貯留されたボトル２００を搭載するためのものである。
【００６３】
一方、側板２１４Ａの内面には、各々の台２１８に対応して支持部材２２０が取り付けられている。この支持部材２２０には、キャップ装填部２２２が、側板２１４Ｂと接離する方向（図４では上下方向）に所定範囲スライドするように取り付けられている。
【００６４】
キャップ装填部２２２は、側板２１４Ｂと平行な板２２４と、この板２２４の側板２１４Ｂ側に一体的に取り付けられた嵌合部材２２６とを備えている。図５に示すように、嵌合部材２２６にはキャップ２０６の挿入される丸孔２２８が形成されており、丸孔２２８には軸方向に延びる係合部としての細溝２３０が２本形成されている。
【００６５】
図４に示すように、側板２１４Ａには、中央にアクチュエーター２３２が取り付けられている。このアクチュエーター２３２は、図示しないボタンを押すことによって電流が流され、可動軸２３４が側板２１４Ｂから離れる方向に所定時間所定距離移動するようになっている。また、所定時間が経過すると可動軸２３４はもとの位置に戻る。なお、可動軸２３４の先端がキャップ装填部２２２に固定されている。
【００６６】
図４及び図６に示すように、ケーシング１０Ａには、開閉蓋２１４を閉めた際にキャップ装填部２２２に対向する位置に受部材２３６が設けられている。受部材２３６は、ケーシング１０Ａに取り付けられた複数のスプリング２３８で弾性的に支持されている。なお、受部材２３６は、上下方向に平行移動するようにガイド面２４０にガイドされている。
【００６７】
受部材２３６には、ほぼ中央に孔２４２が形成されており、孔２４２のケーシング１０Ａ側にはパイプ２４４が一体的に設けられている。
【００６８】
パイプ２４４は、ケーシング１０Ａの上面に突出するパイプ２４６内にスライド可能に挿入されている。なお、このパイプ２４６は、ホース２４７を介して補充タンク１１２（図４及び図６には図示せず）に連結されている。
【００６９】
パイプ２４６の中には、棒状の栓開閉手段としての栓開閉部材２４８が同軸的に配置されている。この栓開閉部材２４８は、下側がパイプ２４６に固定されている。
【００７０】
図７に示すように、栓開閉部材２４８の上端部は栓保持部２４８Ａとされ、先端の切り落とされた矢状を呈している。
【００７１】
一方、キャップ２０６の栓２１２には、栓開閉部材２４８の栓保持部２４８Ａと嵌合する穴２１２Ｂが形成されている。
【００７２】
なお、穴２１２Ｂに栓保持部２４８Ａを挿入すると、先ず穴２１２Ｂの開口部が弾性変形して広がり、その後、栓保持部２４８Ａが穴２１２Ｂと嵌合して開口部が元の形状に戻る。
【００７３】
栓２１２がキャップ２０６の孔２１０に圧入されている場合、栓保持部２４８Ａを穴２１２Ｂに挿入して嵌合しても栓２１２は孔２１０から外れないようになっており、栓保持部２４８Ａが穴２１２Ｂの底部を所定の力でさらに押した際に栓２１２がボトル２００の内側へ外れるようになっている。なお、穴２１２Ｂから外れた栓２１２は、栓保持部２４８Ａが穴２１２Ｂに嵌合しているので栓保持部２４８Ａに保持される。
【００７４】
また、上記のようにして外した栓２１２で再び穴２１２Ｂを塞ぐ場合には、栓保持部２４８Ａを所定の力で引く。これにより、栓２１２は小径部２１２Ａが穴２１２Ｂに圧入され、小径部２１２Ａが完全に圧入されるまで（段部が当接するまで）は栓２１２は栓保持部２４８Ａに保持される。さらに所定の力で引くことで穴２１２Ｂの開口部が弾性変形して広がり、栓保持部２４８Ａが栓２１２の穴２１２Ｂから外れる。
【００７５】
このような開栓・閉栓動作を確実に行うため、栓２１２の弾性、小径部２１２Ａの径、穴２１２Ｂの形状・寸法、栓保持部２４８Ａの形状・寸法等が実験によって予め決められている。
【００７６】
また、栓開閉部材２４８には内部に通路２５０が形成されており、先端付近には通路２５０と外部とを連通する噴出口としての細孔２５２が複数個形成されている。通路２５０には、洗浄水の貯留されたタンク、洗浄水を通路２５０へ供給する洗浄液供給手段としてのポンプ及び乾燥風供給手段としてのドライヤー（共に図示せず）によって洗浄水及び乾燥風が送られるようになっており、送られた洗浄水及び乾燥風が細孔２５２から外部へ排出されるようになっている。
【００７７】
本実施例では、発色現像液の入れられたボトル２００のキャップ２０６、漂白定着液の入れられたボトル２００のキャップ２０６及び安定液の入れられたボトル２００のキャップ２０６は、各々突起２０８を除く外径が同一寸法であるが、図５に示すように、中に入れられた処理液毎に突起２０８間の角度θが異なっている。
【００７８】
これに対応して、嵌合部材２２６の細溝２３０間の角度θも処理液毎に異なっているが、同じ種類の処理液では突起２０８間の角度θと細溝２３０間の角度θとが同一角度に設定されている。
【００７９】
このため、発色現像液の入れられたボトル２００のキャップ２０６は、発色現像液の補充用の嵌合部材２２６の丸孔２２８に挿入することはできるが、それ以外の処理液の補充用の嵌合部材２２６の丸孔２２８には突起２０８が当たって挿入することが出来ない。これは、他のボトル２００においても同様である。
【００８０】
次に、本実施例の作用を説明する。
【００８１】
例えば、現像槽７４内で印画紙Ｐが現像処理されると、これに合わせて補充ポンプ１１６が作動して、補充タンク１１２に一旦貯められた現像補充液を現像槽７４側に送って、現像槽７４内での処理に使用されて劣化した量の現像補充液を補充する。補充タンク１１２内での液面が所定量以下になると、これをフロートスイッチ１１８が検出し、現像補充液の補充タンク１１２への供給の指示がモニタ１２２に表示される。なお、これらは漂白定着液、安定液においても同様である。
【００８２】
次に、代表して発色現像液を発色現像液の貯留された補充タンク１１２へ補充する際の手順を説明する。
（１）  先ず、補充部２０２の開閉蓋２１４を開ける。
（２）  キャップ装填部２２２を持ち上げ、キャップ２０６上にして発色現像液の入ったボトル２００を所定の台２１８の上に載せる。
（３）  キャップ２０６の突起２０８を嵌合部材２２６の細溝２３０に合わせ、嵌合部材２２６を下ろしてキャップ２０６を丸孔２２８に挿入する。
（４）  開閉蓋２１４を閉める。
（５）  図示しない押しボタンを押す。図８に示すように、アクチュエーター２３２の可動軸２３４Ａが受部材２３６を支持しているスプリング２３８の付勢力に抗してキャップ装填部２２２を押し下げる。これによってボトル２００が下方に移動し、栓開閉部材２４８の栓保持部２４８Ａが栓２１２の穴２１２Ｂに挿入されて栓２１２の底を押し、栓２１２がキャップ２０６の孔２１０から外されて栓保持部２４８Ａに保持される。
【００８３】
これによって、ボトル２００の発色現像液が、孔２４２、パイプ２４４、パイプ２４６及びホース２４７を介して発色現像液の貯留された補充タンク１１２に補充される。
（６）  所定時間が経過し、ボトル２００の発色現像液が全て排出されると、アクチュエーター２３２の可動軸２３４Ａが復帰する。これによって、図９に示すように、栓２１２がキャップ２０６の孔２１０に圧入され、閉栓が行われる。
（７）  閉栓後、栓開閉部材２４８の細孔２５２から洗浄水が所定量排出され、キャップ２０６や受部材２３６に付着した発色現像液を洗い流す。ここで、洗浄水が補充タンク１１２に入るが極めて僅かな量であり、発色現像処理に影響を及ぼすことはない。なお、洗浄水を多量に使用する場合には、ホース２４７の途中に切り替え弁等を設け、洗浄水を排液タンク（図示せず）等に流せば良い。
（８）  洗浄後、栓開閉部材２４８の細孔２５２から乾燥風が所定時間排出され、キャップ２０６や受部材２３６に付着した洗浄水を乾燥させる。
【００８４】
乾燥が終了すると、図示しないブザーやランプ等で、補充が完了をしたことを知らせる。
（９）  図１０に示すように開閉蓋２１４を開け、ボトル２００を取り外して開閉蓋２１４を閉めれば補充作業は終了となる。
【００８５】
上記補充方法では、以下（１）乃至（５）に述べるような効果がある。
（１）  異なる処理液の入れられたボトル２００を装填しようとしても、キャップ２０６を嵌合部材２２６の丸孔２２８に挿入することが出来ない。即ち、ボトル２００の誤装填が防止され、処理液が誤投入されることはない。
（２）  液投入時に処理液が外に跳ねないので、オペレーター等に処理液が付着することがない。
（３）  液投入時に、ボトル２００を手で保持し続ける必要がないためオペレーターの負担にならない。
（４）  液投入が密閉状態で行われ、また、キャップ２０６や液投入用の孔２４２を洗浄水で洗い流して乾燥するので、液の異臭がせず、孔２４２の周囲や使用後のキャップ２０６も清潔である。
（５）  ボトル２００をセットして開閉蓋２１４を閉めた後は、乾燥終了まで自動的に行われるので、オペレーターがつきっきりになる必要がなく、乾燥終了までオペレーターは他の作業（例えば、他の処理液の補充等）に専念でき、時間を有効活用できる。
【００８６】
なお、キャップ２０６の洗浄では、その洗浄水としては、補充液が濃縮液の場合、希釈水を用いるので、この希釈水を利用しても良いし、乾燥風は、乾燥部８０の熱風を利用しても良い。
【００８７】
また、この実施例では、突起２０８間の角度及び細溝２３０間の角度を変えてボトル２００の誤装填を防止したが、図１１に示すように、突起２０８及び細溝２３０の数や大きさ（厚さ）を処理液毎に変えて誤装填を防止することもできる。また、突起２０８と細溝２３０とを逆に設けても良い。
【００８８】
また、突起２０８及び細溝２３０に限らず、図１２に示すように、キャップ２０６の一部に被係合部としての切欠２６０を、嵌合部材２２６にキャップ２０６の外形に合わせた係合部としての異形孔２６２を形成し、これら切欠２６０及び異形孔２６２の大きさや数、これらを複数設けた場合には各々の角度を処理液毎に変えて誤装填を防止することもできる。
【００８９】
さらに、図１３に示すように、キャップ２０６の形状を処理液毎に異なる形状（図１３では軸方向から見て四角形であるが、その他に三角形、五角形、六角形等の多角形、楕円等）とし、これに合わせた係合部としての異形孔２６４（図１３では四角形の孔を示すが、その他に三角形、五角形、六角形等の多角形の孔、楕円等の孔）を嵌合部材２２６に形成してもボトル２００の誤装填を防止することができる。なお、この場合には、キャップ２０６自身が被係合部となる。
【００９０】
また、もし補充タンク１１２に液が補充不必要な程度あるにもかかわらずボトル２０をセットした場合は、処理液が補充タンク１１２からオーバーフローしないために次の様なインターロックをとる事も可能である。
【００９１】
補充タンク１１２の液面を検出するフロートスイッチ１１８が液面を検出した場合、アクチュエーター２３２を駆動して閉栓を行う。また、ボトル２００をセットする開閉蓋２１４はケーシング１０Ａとの間でロックがかかるようにしておき、ボトル２００から処理液を補充タンク１１２に投入している間、開かないようにしておくと良い。不用意に開閉蓋２１４が開くと、処理液が流出することがあるのでこれを防止することができる。
【００９２】
また、本実施例では、ボトル２００を上下させる事で栓開閉部材２４８によって開栓を行ったが、ボトル２００を固定したまま栓開閉部材２４８を上下させて開栓する構造としても良い。そうすれば、ボトル２００を装填状態のまま開閉栓が可能となる。
［第２実施例］
本発明の第２実施例を図１４及び図１５にしたがって説明する。なお、前述の実施例と同一構成に関しては同一符号を付し、その説明は省略する。
【００９３】
この実施例は、構成を簡略化し、ボトル２００の開栓・閉栓を手動で行うようにしたものである。
【００９４】
図１４及び図１５に示すように、本実施例では、キャップ装填部２２２が嵌合部材２２６のみであり、嵌合部材２２６はケーシング１０Ａの上面に直接取り付けられている。
【００９５】
補充手順としては、先ず、キャップ２０６を下に向け、キャップ２０６を嵌合部材２２６に合わせて丸孔２２８に挿入する。これによって栓開閉部材２４８が栓２１２を押し、栓２１２がキャップ２０６の孔２１０から外されて処理液が排出される（図１５参照）。
【００９６】
処理液が排出された後は、ボトル２００を上に引き抜く。これによって栓２１２がキャップ２０６の孔２１０に圧入され、閉栓される。
【００９７】
本実施例においても、処理液が異なればキャップ２０６を嵌合部材２２６に嵌合出来ないので、ボトル２００の誤装填が防止できる。
［第３実施例］
本発明の第３実施例を図１６乃至図１８にしたがって説明する。なお、前述の実施例と同一構成に関しては同一符号を付し、その説明は省略する。
【００９８】
図１６に示すように、本実施例では、受部材２３６の上にキャップ装填部２２２が直接取り付けられており、キャップ装填部２２２を押し下げるアクチュエーター２３２がケーシング１０Ａに立設された支柱２７０に取り付けられている。
【００９９】
図１７に示すように、本実施例の嵌合部材２７６には、軸方向に沿って延びる断面半円状の溝２７４が形成されており、この溝２７４には周方向に沿って延びる同幅、同径の細溝２７６が２本形成されている。
【０１００】
一方、本実施例のキャップ２０６の外周には、環状突起としての鍔２８０が２個形成されている。なお、本実施例の栓２１２は図１６にも示すようにキャップ２０６から突出していない。
【０１０１】
図１７に示すように、本実施例では、処理液の種類毎に鍔２８０と鍔２８０とのピッチａ、及び細溝２７６と細溝２７６とのピッチａ’が異なっている。
【０１０２】
第１実施例では、キャップ２０６を嵌合部材２２６へ上から挿入するようにしたが、本実施例では図１６に示すように、キャップ２０６を嵌合部材２７６へ横から挿入するようになっている。
【０１０３】
本実施例では、処理液の種類が同じであれば、鍔２８０が細溝２７６に挿入され、キャップ２０６を溝２７４の奥まで完全に挿入することができるが、処理液の種類が異なれば、鍔２８０が溝２７４に当たってキャップ２０６を溝２７４の奥まで挿入することができず、ボトル２００の誤装填が防止される。
【０１０４】
ボトル２００が正しく装填された後は、図１８に示すようにアクチュエーター２３２を駆動してキャップ装填部２２２を押し下げ、処理液の排出を行う。
【０１０５】
なお、この実施例では、鍔２８０間のピッチａを変えてボトル２００の誤装填を防止したが、鍔２８０の厚さｂ、径ｃ、形成する位置（高さ）等を処理液毎に変えると共に、これに対応して細溝２７６の溝幅ｂ’底径ｃ’形成する位置（高さ）等を処理液毎に変えることによってボトル２００の誤装填を防止することもできる。また、鍔２８０と細溝２７６とを逆に設けても良く、鍔２８０をボトル２００に設けても良い。
【０１０６】
また、鍔２８０及び細溝２７６に限らず、図１９に示すように、キャップ２０６に複数の被係合部としてのピン２９０を両側に、嵌合部材２２６の溝２７４の両端部にピン２９０に合わせた係合部としての細溝２９２を形成し、ピン２９０間のピッチａ、ピン２９０の径ｄ、長さｅ、形成する位置（高さ）、本数等を処理液毎に変えると共に、これに対応して細溝２９２間のピッチａ’、細溝２９２の幅ｄ’、長さｅ’、形成する位置（高さ）、形成個数等を処理液毎に変えることによってボトル２００の誤装填を防止することもできる。また、ピン２９０と細溝２９２とを逆に設けても良く、ピン２９０をボトル２００に設けても良い。
【０１０７】
また、図２０に示すように、嵌合部材２２６の溝２７４の底部に係合部としての孔２９４を形成し、この孔２９４の形状に合わせた被係合部としてのピン２９６をキャップ２０６に形成しても良い。この場合には、ピン２９６の断面形状、外径、位置、本数等を処理液毎に変えると共に、これに対応して孔２９４の開口形状、内径、位置、形成個数等を処理液毎に変えることによってボトル２００の誤装填を防止することができる。また、ピン２９６と孔２９４とを逆に設けても良く、ピン２９６をボトル２００に設けても良い。
【０１０８】
また、最初にキャップ２０６を上にしてボトル２００を装填する場合には、キャップ２０６に鍔２８０、ピン２９０、ピン２９６等を必ずしも設けなくても良い。この場合には、図２１及び図２２に示すように、ボトル２００の高さと嵌合部材２２６の高さとを処理液毎に変えれば良い。例えば、図２１に示すようにキャップ２０６の位置と嵌合部材２２６の位置が同じで有れば図２３に示すようにボトル２００を正しく装填できるが、位置が異なれば正しく装填出来ないことになる。
【０１０９】
また、図２４及び図２５に示すように、台２１８等に一対の縦板４００を設け、ボトル２００の外径と、縦板４００の間隔とを処理液毎に変えることによってボトル２００の誤装填を防止することもできる。
【０１１０】
なお、一対の縦板４００は、例えば図１６に示す嵌合部材２２６の代わりとして板２２４に設けても良い。
【０１１１】
なお、前述した実施例では、処理液の補充の際にボトル２００を倒立させていたが、位置決めや保持を確実にするために、ボトル２００を保持する保持装置を台２１８等に設けても良い。
【０１１２】
以下に、ボトル２００を横から装填する場合に好適なボトル２００の保持装置を説明する。
【０１１３】
図２６に示すように、キャップ装填部２２２の板２２４には、支柱３１０が取り付けられており、支柱３１０の端部にはボトル２００の底部を支持する底部支持板３１２が一体的に取り付けられている。
【０１１４】
支柱３１０の側面には、把持装置３１４が取り付けられている。図２６及び図２７に示すように、把持装置３１４は、支柱３１０に固定される平面部３１６を備えており、平面部３１６の中央には半リング状の固定アーム３１８が一体的に設けられている。この固定アーム３１８の内面側の曲率半径は、ボトル２００の首部分２０４の曲率半径に対応している。
【０１１５】
固定アーム３１８には、一方の端部に可動アーム３２０が、他方の端部に可動アーム３２２が設けられている。可動アーム３２０，３２２は、固定アーム３１８にピン３２４で支持されており、ピン３２４を中心として矢印Ｅ方向及び矢印Ｅ方向とは反対方向に回転自在とされている。
【０１１６】
可動アーム３２０，３２２のピン３２４の位置は、長手方向中央部よりも一方に所定量ずらされており、平面部３１６側が各々短部３２０Ａ，３２２Ａ、反対側が長部３２０Ｂ，３２２Ｂとされている。なお、可動アーム３２０，３２２の内面側の曲率半径は、固定アーム３１８と同様にボトル２００の首部分２０４の曲率半径に対応している。
【０１１７】
可動アーム３２０，３２２は、平面部３１６に一端が固定される引張スプリング３２６によって矢印Ｅ方向の付勢力が作用している。図２７に示すように、通常時には、可動アーム３２０，３２２は、短部３２０Ａ，３２２Ａが固定アーム３１８の内側に突出し、長部３２０Ｂ，３２２Ｂの先端同士がボトル２００の首部分２０４の直径よりも所定寸法大きめに開いている。なお、可動アーム３２０，３２２は、図２７に示す状態よりも外側（矢印Ｅ方向とは反対方向）に開かないように、図示しないストッパーに当接している。
【０１１８】
可動アーム３２０の長部３２０Ｂの端部には磁石３２８が埋め込まれており、先端がＮ極とされている。一方、可動アーム３２２の長部３２２Ｂの端部にも磁石３２８が埋め込まれており、先端がＳ極とされている。なお、磁石３２８同士が互いに吸着した際の吸着力は、その状態における引張スプリング３２６の付勢力よりも所定量大きくなっている。
【０１１９】
次に、この把持装置３１４の作用を説明する。
【０１２０】
図２６に示すように、ボトル２００を横から進入させると、ボトル２００の首部分２０４で可動アーム３２０の長部３２０Ｂ及び可動アーム３２２の長部３２２Ｂが押されて可動アーム３２０，３２２が矢印Ｅ方向に回転し、磁石３２８同士が吸着することによって首部分２０４が把持される。
【０１２１】
また、磁石３２８の吸着力に抗するようにボトル２００を横に強く引き抜けば、引張スプリング３２６の付勢力により可動アーム３２０及び可動アーム３２２は互いに離れる。
【０１２２】
このような把持装置３１４を取り付けることにより、ボトル２００を確実に定位置に精度良く保持することができ、ボトル２００を転倒させるような場合に好適である。なお、可動アーム３２０及び可動アーム３２２の少なくとも一方に磁石３２８が設けられていれば良く、この場合、他方は鉄板等でも良い。
【０１２３】
なお、この実施例では、磁石３２８の吸着力で可動アーム３２０と可動アーム３２２とを連結したが、図２８に示すように、可動アーム３２０に半球状の突起３３０を設け、他方に凹部３３２を設け、突起３３０を凹部３３２に嵌合させて可動アーム３２０と可動アーム３２２とを連結するようにしても良い。なお、この場合には、可動アーム３２０及び可動アーム３２２を合成樹脂等で形成し、可動アーム３２０及び可動アーム３２２を若干変形可能とする。
【０１２４】
また、類似の構成として、図２９に示すように、可動アーム３２０にスプリング３３４と鋼球３３６とからなるラッチ３３８を設け、他方にスプリング３３４に抗して鋼球３３６を押し込むことのできるスライド軸３４０を設け、突出した鋼球３３６の一部をスライド軸３４０の挿入されている孔３４２の開口に係合させることによって可動アーム３２０と可動アーム３２２とを連結するようにしても良い。なお、可動アーム３２０と可動アーム３２２とを離す際には、スライド軸３４０で鋼球３３６を押し込めば良い。
【０１２５】
また、把持装置３１４そのものに前述の実施例のような誤装填防止機能を持たせても良い。無論、この場合はボトル２００側は首部分２０４に誤装填防止機能を持たせる事になる。
【０１２６】
なお、把持装置３１４でボトル２００の首部分２０４を把持したが、形状を大きくしてボトル２００の本体部分を把持することもできる。
【０１２７】
また、把持装置３１４を更に簡単な構成としたものを以下に説明する。
【０１２８】
図３０及び図３１に示すように、この実施例の把持装置３１４は、弾性変形可能な合成樹脂で形成され、略Ｃ字状を呈している。ボトル２００には、中間部に細径部２００Ａを設け、この細径部２００ＡをＣ字状の開口部分から押し込んで把持する。
【０１２９】
また、図３２に示すように、ボトル２００の首部分２０４に一対の鍔３５０を設け、その鍔３５０間を小型化した把持装置３１４で把持するようにしても良い。
【０１３０】
また、把持せずにボトル２００を保持することもできる。一例として、図３３に示すように、支柱３１０に一対の穴３５２を形成し、この穴３５２の底部に磁石３５４を取り付け、ボトル２００の側面には、磁石３５４に吸着する鉄板３５６を固着する。なお、磁石３５４と鉄板３５６とを逆に設けても良いのは勿論であり、ボトル２００と穴３５２の両方に磁石３５４を設けても良い。
【０１３１】
また、図３４に示すように、支柱３１０にストライカー３５８を取り付け、ボトル２００の側面にラッチ３６０を取り付け、ラッチ３６０をストライカー３５８に係合することでボトル２００を保持することもできる。なお、ラッチ３６０とストライカー３５８とを逆に設けても良いのは勿論である。
［第４実施例］
本発明の第４実施例を図３５にしたがって説明する。なお、前述の実施例と同一構成に関しては同一符号を付し、その説明は省略する。
【０１３２】
本実施例では、電気的にボトル２００の種類を判別するようになっている。
【０１３３】
図３５に示すように、嵌合部材２２６の溝２７４の底部には反射光受光式の光センサ３００が軸方向（紙面表裏方向）に複数個設けられている。
【０１３４】
一方、キャップ２０６の外周には、ボトル２００の処理液に対応させた穴３０２が開けられており、穴３０２の底部に反射した光が光センサ３００に戻るようになっている。
【０１３５】
即ち、本実施例では、穴３０２の有無によって処理液の種類を判別することができる。例えば、光センサ３００を軸方向に２個設けた場合、上側の光センサ３００のみが穴３０２を検出した場合にはそのボトル２００には発色現像液が入れられており、下側の光センサ３００のみが穴３０２を検出した場合にはそのボトル２００には漂白定着液が入れられており、両方の光センサ３００が穴３０２を検出した場合にはそのボトル２００には安定液が入れられている、というようにして、どの処理液の入れられたボトル２００が装填されたかを判別することができる。
【０１３６】
この光センサ３００に制御装置を連結し、異なるボトル２００が装填された際にブザー、ランプ等によって警告を発するようにすれば、処理液の誤投入を防止できる。また、これと同時にソレノイド等を同時に駆動し、このソレノイドの可動軸を嵌合部材２２６の溝２７４の底部から突出するようにすれば、キャップ２０６が溝２７４の底から離れ、誤装填を防止できる。
【０１３７】
なお、図３６に示すように、処理液毎にキャップ２０６の径Ｄを変え、所定幅のビームを照射する光源３０４と複数個の光センサをライン状に並べたラインセンサ３０６とをキャップ装填部２２２（図示せず）に設け、キャップ２０６の径をラインセンサ３０６で計測してどの処理液の入れられたボトル２００が装填されたかを判別することもできる。
【０１３８】
また、処理液毎にキャップ２０６の色を変え、図３７に示すように、色を判別できる光センサ３０８をキャップ装填部２２２（図示せず）に設け、装填されたボトル２００のキャップ２０６の色でどの処理液の入れられたボトル２００が装填されたかを判別することもできる。
【０１３９】
【発明の効果】
以上説明した如く、請求項１に係る処理液供給装置は、容器を装填部に装填し、後は、栓開閉手段で容器の栓を開くので、手間をかけずに容易に処理液の供給を行えるという優れた効果を有する。また、請求項１に係る処理液供給装置は、閉栓後に容器の口部や栓及びこれらの周辺に付着した処理液を洗い流すことができるので、使用後の容器の口部や栓を清潔に保つことができ、また、処理液の悪臭を確実に防止できるという優れた効果を有する。
【０１４０】
請求項２に係る処理液供給装置は、栓開閉手段が栓を閉めて容器を密閉するので、処理液で手等を汚すことが無い。
【０１４１】
請求項３に係る処理液供給装置は、容器の口部や栓に付着した洗浄液を素早く乾燥できるという優れた効果を有する。
【０１４２】
請求項４に係る処理液供給装置は、装填部に係合部を設け、容器に被係合部を設け、処理液が対応したときに係合部と被係合部とが係合するようにしたので、処理液の誤投入を確実に防止できるという優れた効果を有する。
【０１４３】
請求項５に係る処理液供給装置は、係合部及び被係合部の何れか一方を凸部、何れか他方を凹部としたので、処理液の誤投入を防止できるという優れた効果を有する。また、請求項６に係る処理液供給装置は、係合部及び被係合部を、処理液の種類毎に一部の寸法が異なるようにしたので、処理液の誤投入を防止できるという優れた効果を有する。
【図面の簡単な説明】
【図１】  本発明の一実施例が採用されたプリンタプロセッサを示す概略構成図である。
【図２】  本発明の一実施例が採用されたプリンタプロセッサを示す斜視図である。
【図３】  現像槽及び補充タンクの構成図である。
【図４】  第１実施例に係る補充部の側面図である。
【図５】  キャップ及び嵌合部材の斜視図である。
【図６】  開閉蓋を閉めた状態の補充部の側面図である。
【図７】  キャップ及び嵌合部材の断面図である。
【図８】  開栓した状態のボトルを示す補充部の側面図である。
【図９】  洗浄中のボトルを示す補充部の側面図である。
【図１０】  乾燥後の開閉蓋を開けた状態を示す補充部の側面図である。
【図１１】  キャップ及び嵌合部材の他の実施例を示す斜視図である。
【図１２】  キャップ及び嵌合部材の更に他の実施例を示す斜視図である。
【図１３】  キャップ及び嵌合部材の更に他の実施例を示す斜視図である。
【図１４】  第２実施例に係る補充部の側面図である。
【図１５】  開栓した状態のボトルを示す第２実施例に係る補充部の側面図である。
【図１６】  第３実施例に係る補充部の側面図である。
【図１７】  第３実施例に係るキャップ及び嵌合部材の斜視図である。
【図１８】  開栓した状態のボトルを示す第３実施例に係る補充部の側面図である。
【図１９】  キャップ及び嵌合部材の更に他の実施例を示す斜視図である。
【図２０】  キャップ及び嵌合部材の更に他の実施例を示す斜視図である。
【図２１】  高さの合ったボトルと嵌合部材とを示すボトル及び嵌合部材の側面図である。
【図２２】  高さの合わないボトルと嵌合部材とを示すボトル及び嵌合部材の側面図である。
【図２３】  高さの合ったボトルが装填された状態を示すボトル及び嵌合部材の側面図である。
【図２４】  ボトルが装填された状態を示すボトル及び縦板の正面図である。
【図２５】  装填出来ない状態を示すボトル及び縦板の正面図である。
【図２６】  把持装置及びボトルの側面図である。
【図２７】  把持装置の斜視図である。
【図２８】  他の実施例に係る把持装置の先端部分の正面図である。
【図２９】  更に他の実施例に係る把持装置の先端部分の正面図である。
【図３０】  更に他の実施例に係る把持装置及びボトルの側面図である。
【図３１】  図３０の３１−３１線断面図である。
【図３２】  更に他の実施例に係る把持装置及びボトルの側面図である。
【図３３】  更に他の実施例に係る把持装置及びボトルの側面図である。
【図３４】  更に他の実施例に係る把持装置及びボトルの側面図である。
【図３５】  本発明の第４実施例に係るキャップ及び嵌合部材を軸方向から見た平面図である。
【図３６】  他の実施例に係り、光源、キャップ及びラインセンサの斜視図である。
【図３７】  更に他の実施例に係り、光センサ及びキャップの斜視図である。
【符号の説明】
１１２      補充タンク（貯留部）
２００      ボトル（容器）
２０８      突起（被係合部）
２１０      孔（口部）
２１２      栓
２２２      キャップ装填部（装填部）
２３０      細溝（係合部）
２４８      栓開閉部材（栓開閉手段）
２５２      細孔（噴出口）
２６０      切欠（被係合部）
２６２      異形孔（係合部）
２６４      異形孔（係合部）
２９０      ピン（被係合部）
２９２      細溝（係合部）
２９４      孔（係合部）
２９６      ピン（被係合部）
【図１】
0003688320.tif 000002
【図２】
0003688320.tif 000003
【図３】
0003688320.tif 000004
【図４】
0003688320.tif 000005
【図５】
0003688320.tif 000006
【図６】
0003688320.tif 000007
【図７】
0003688320.tif 000008
【図８】
0003688320.tif 000009
【図９】
0003688320.tif 000010
【図１０】
0003688320.tif 000011
【図１１】
0003688320.tif 000012
【図１２】
0003688320.tif 000013
【図１３】
0003688320.tif 000014
【図１４】
0003688320.tif 000015
【図１５】
0003688320.tif 000016
【図１６】
0003688320.tif 000017
【図１７】
0003688320.tif 000018
【図１８】
0003688320.tif 000019
【図１９】
0003688320.tif 000020
【図２０】
0003688320.tif 000021
【図２１】
0003688320.tif 000022
【図２２】
0003688320.tif 000023
【図２３】
0003688320.tif 000024
【図２４】
0003688320.tif 000025
【図２５】
0003688320.tif 000026
【図２６】
0003688320.tif 000027
【図２７】
0003688320.tif 000028
【図２８】
0003688320.tif 000029
【図２９】
0003688320.tif 000030
【図３０】
0003688320.tif 000031
【図３１】
0003688320.tif 000032
【図３２】
0003688320.tif 000033
【図３３】
0003688320.tif 000034
【図３４】
0003688320.tif 000035
【図３５】
0003688320.tif 000036
【図３６】
0003688320.tif 000037
【図３７】
0003688320.tif 000038